(57)【要約】【課題】鍵穴に鍵以外の流用物を用いて扉の解錠及び施錠を行おうとしても、その鍵以外の流用物での解錠及び施錠を防ぎ、生活空間を防犯する。【解決手段】鍵穴４を備えた鍵穴装着部１に鍵挿入口６とピッキング防止部分５を備えた鍵挿入口回転可動部２を取り付け、この鍵挿入口回転可動部２に鍵挿入口保護固定部３を取り付ける。これらの防犯用鍵挿入器具に適合する鍵を製造する。【選択図】　　　　　　図１
2004137864.tif 000002
【特許請求の範囲】
【請求項１】
鍵穴４を備えた鍵穴装着部１と鍵挿入口保護固定部３の間に回転可動する接続部分７、８の間に、ピッキング防止部分５と鍵挿入口６を備えた鍵挿入口回転可動部２を取り付ける防犯用鍵挿入器具。
【請求項２】
鍵穴適合部９に鍵回転用取っ手１０、鍵挿入口適合部１１、ピッキング防止部分適合部１２を備える請求項１の鍵挿入器具に適用する鍵の形状。
【発明の詳細な説明】
【０００１】
【発明の属する技術分野】
本発明は、鍵穴を保護する防犯用鍵挿入器具並びにその鍵挿入器具に適合する鍵の形状の製造方法に関する。
【０００２】
【従来の技術】
従来の鍵穴及び鍵においては、扉の解錠、施錠を鍵穴及びその鍵穴に適合する鍵によって所有空間の防犯をしている。
【０００３】
【発明が解決しようとする課題】
従来の鍵穴にあっては、鍵穴が直接目視できる状態に置かれており、また、適合する鍵以外の流用できるものが直線上で直接挿入できる状態に置かれており、現代社会事情のピッキングによる解錠、施錠が容易にできる状況下にあるという防犯上の問題点があった。
【０００４】
本発明は、ピッキングによる解錠、施錠を行おうとしても、鍵穴を目視できない状態に置き、また、鍵穴に適合する鍵以外の流用できるものの挿入を困難にすることにより、ピッキングによる解錠の防犯を目的としている。
【０００５】
【課題を解決するための手段】
上記目的を達成するために、本発明の防犯用の鍵挿入器具とその鍵挿入器具に適合する鍵の形状においては、鍵穴の前部に、鍵の厚さ、長さに合わせる挿入口を設置し、鍵挿入器具内部にピッキング防止部分を備え、その鍵挿入器具に適用する形状の鍵を製造するものである。
【０００６】
上記、鍵挿入器具を取り付ける位置は、様々な扉の適当な箇所とすることが可能であるが、鍵穴を横型にし鍵挿入器具の取り付け及びドアーノブの根元への取り付けることが建物の扉、車の扉等様々な扉に対応できるため効果的である。
【０００７】
また、鍵挿入器具挿入口は、厚さ、長さを適合する鍵との相互において設定しすることにより、適合する鍵以外の流用できるものの挿入を困難にすることが好ましい。
【０００８】
また、鍵挿入器具内のピッキング防止部分は、適合させようとする鍵以外の流用できるものを挿入した場合に、その適合させようとする鍵以外の流用できるものが、鍵穴とＬ字型に間接的に直角線上に置いての適合を困難にするため効果的である。
【０００９】
また、鍵挿入器具の回転可動部は、鍵穴を中心とし同時に回転可動するように鍵穴装着部と鍵挿入器具の保護固定部の間に接続することにより、鍵穴の直接目視を妨げ及び適合させようとする鍵以外の流用できるものを直線上で直接挿入できなくなるため、扉に取り付けて使用する鍵挿入器具及び鍵の構造上において好ましい。
【００１０】
また、鍵挿入器具の保護固定部は、鍵穴の直接目視をできなくし、適合させようとする鍵以外の流用できるものを直線上で直接挿入を防ぎ、鍵挿入口回転可動部を固定するため効果的である。
【００１１】
また、鍵挿入器具に適用する形状の鍵は、鍵の全長を挿入させて回転するため鍵を回転させる取っ手を鍵挿入口から突出させて設けることが、その取っ手を回転させて鍵を解錠及び施錠に好ましい。
【００１２】
また、鍵挿入口に挿入された鍵は、取っ手部分と反対部分にも適当な突出部を設け、鍵挿入口内部にその突出部に適合する部分を備えることが、接合する鍵以外の流用できるものの直角線上の間接挿入をより困難にするためピッキング防止に効果的である。
【００１３】
【発明の実施の形態】
図１において、鍵穴４を内部中心とし回転する鍵穴装着部１を扉に固着し、その鍵穴４と同時に回転するように、あらかじめ鍵挿入器具に適合する鍵（図７）の長さ、厚さに適合する鍵挿入口６とピッキング防止部分５を備える穴を空けておいた鍵挿入口回転可動部２を接続部分７を設け、鍵穴装着部１に接続し、その外側に鍵挿入口保護固定部３を回転可動する接続部分８を設け鍵挿入口回転可動部２に接続し、鍵挿入口保護固定部３を扉に固着した回転前の鍵挿入器具である。（全体図をそのまま横型にし、建物の扉、車、バイク等に固着する方法と鍵挿入口装着固定部３を従来のドアーノブとし、鍵挿入口６とピッキング防止部分５を備えた鍵挿入口回転可動部２をドアーノブの根元とする取り付けもできる。）
【００１４】
図２において、鍵穴４を回転軸とし鍵挿入器具に適合する鍵（図７）を鍵挿入口６から挿入し、その鍵をピッキング防止部分５に押し当てたまま平行移動し鍵穴４に鍵の鍵穴適合部９を挿入し回転させた回転後の鍵挿入器具の状態である。
【００１５】
図３において、図１の鍵挿入口６とピッキング防止部分５を備えた鍵挿入口回転可動部２のＡ−Ａの切断面における回転前の鍵挿入器具の状態である。
【００１６】
図４において、図２の鍵挿入口６とピッキング防止部分５を備えた鍵挿入口回転可動部２のＡ−Ａの切断面における回転後の鍵挿入器具の状態である。
【００１７】
図５において、図１の鍵穴４を備えた鍵穴装着部１のＢ−Ｂの切断面における鍵挿入器具の回転前の状態である。
【００１８】
図６において、図２の鍵穴４を備えた鍵穴装着部１のＢ−Ｂの切断面における鍵挿入器具の回転後の状態である。
【００１９】
図７において、鍵挿入器具に適用する鍵の形状は、鍵の鍵穴適用部９の尾部に鍵挿入口適合部１１を設け、この鍵挿入口適合部１１の片側にピッキング防止部分適合部１２を設け、また、その鍵挿入口適合部１１のピッキング防止部分適合部１２を設けた反対側に鍵回転用取っ手１０を設けたものである。
【００２０】
【発明の効果】
本発明は、以上説明したように構成されているので、以下に記載されるような効果を奏する。
【００２１】
鍵穴前部への鍵挿入器具の取り付け及びその鍵挿入器具に適用する鍵を製造することにより、他人による、日常生活の所有空間における身体的被害及び生計的被害の防犯が従来以上にでき、犯罪被害を未然に防ぐことができる。
【００２２】
そして、鍵穴前部への鍵挿入器具の取り付け及びその鍵挿入器具に適用する鍵の製造は、様々な多くの鍵穴に対応できることによって、多くの人々の所有空間に利用でき、犯罪被害を減少することができる。
【００２３】
また、鍵穴前部への鍵挿入器具の取り付け及びその鍵挿入器具に適用する鍵の製造は、従来のドアーノブ式の鍵の取り付けに流用でき、迅速な犯罪被害の対処ができる。
【００２４】
さらに、鍵挿入器具に適用する鍵は、鍵の鍵穴接合部９と鍵回転用取っ手１０と鍵挿入口適合部１１のＬ字型の鍵としても適用できるが、ピッキング防止部分適合部１２を設け変形のＴ字型にすることにより、ピッキングの際、直角に適合させようとする鍵以外の流用できるものの挿入をより困難にすることができ、ピッキングによる防犯力の向上ができる。
【図面の簡単な説明】
【図１】鍵挿入器具の実施例を示す回転前の縦断面図である。
【図２】鍵挿入器具の実施例を示す回転後の縦断面図である。
【図３】鍵挿入口回転可動部の実施例を示す施錠前の縦断面図である。
【図４】鍵挿入口回転可動部の実施例を示す施錠後の縦断面図である。
【図５】鍵穴装着部の実施例を示す施錠前の縦断面図である。
【図６】鍵穴装着部の実施例を示す施錠後の縦断面図である。
【図７】鍵挿入器具に適合する鍵の形状を示す平面図である。
【符号の説明】
１　鍵穴装着部
２　鍵挿入口回転可動部
３　鍵挿入口保護固定部
４　鍵穴
５　ピッキング防止部分
６　鍵挿入口
７、８　回転可動する接続部分
９　鍵穴適合部
１０　鍵回転用取っ手
１１　鍵挿入口適合部
１２　ピッキング防止部分適合部
Ａ−Ａ　鍵挿入口回転可動部の切断面
Ｂ−Ｂ　鍵穴装着部の切断面
【図１】
2004137864.tif 000003
【図２】
2004137864.tif 000004
【図３】
2004137864.tif 000005
【図４】
2004137864.tif 000006
【図５】
2004137864.tif 000007
【図６】
2004137864.tif 000008
【図７】
2004137864.tif 000009